(57)【特許請求の範囲】
【請求項１】
ユーザ端末と、
前記ユーザ端末に入力された資産情報を資産管理サーバへ送信する処理を実行する資産管理クライアントモジュールを内蔵し前記ユーザ端末から受信した資産情報を蓄積する資産管理データベースを管理する資産管理サーバと、
資産管理公開情報を通信ネットワーク上に公開するＷＷＷサーバと、
前記ＷＷＷサーバと前記ユーザ端末とを相互に接続する通信ネットワークとからなる資産情報管理システムであって、
前記ユーザ端末は、
前記ＷＷＷサーバにより前記通信ネットワーク上に公開されている前記資産管理公開情報にアクセスする手段と、
前記資産管理サーバに資産情報を送信するための資産情報送信に係る選択情報を含む資産管理メニューを前記ＷＷＷサーバから受信する手段と、
前記受信した資産管理メニューのうちから、前記資産情報送信に係る選択情報を選択する手段と、
前記選択された選択情報を前記ＷＷＷサーバに送信する手段と、
前記ＷＷＷサーバから前記資産管理クライアントモジュールを受信する手段と、
前記資産管理クライアントモジュールを受信すると、当該資産管理クライアントモジュールを用いて、入力された資産情報を前記ＷＷＷサーバに送信する手段と、
を有し、前記ＷＷＷサーバは、
前記ユーザ端末が前記資産管理公開情報にアクセスすると、資産管理公開情報データベースに格納されている前記資産管理メニューを前記ユーザ端末に送信する手段と、
前記ユーザ端末から前記選択情報を受信する手段と、
前記ユーザ端末から前記選択情報を受信すると、前記資産管理サーバを呼び出し、当該資産管理サーバに内蔵されている資産管理クライアントモジュールを当該ユーザ端末に送信する手段と、前記ユーザ端末から受信した資産情報を前記資産管理サーバに送信する手段と、
を有し、
前記資産管理サーバは、前記ＷＷＷサーバから受信した資産情報を資産管理データベースに格納する手段を有することを特徴とする資産情報管理システム。
【請求項２】
前記資産管理メニューには、資産情報を閲覧するための資産情報閲覧に係る選択情報が含まれ、
前記ユーザ端末は、
前記受信した資産管理メニューのうちから、前記資産情報閲覧に係る選択情報を選択する手段と、
前記選択された資産情報閲覧に係る選択情報を前記ＷＷＷサーバに送信する手段と、
を有し、前記ＷＷＷサーバは、
前記ユーザ端末から前記資産情報閲覧に係る選択情報を受信する手段と、
前記資産情報閲覧に係る選択情報を前記ユーザ端末から受信すると、前記資産管理サーバを呼び出し、前記資産情報データベースに格納されている資産情報を当該ユーザ端末に送信する手段と、
を有することを特徴とする請求項１に記載の資産情報管理システム。
【請求項３】
前記資産管理公開情報データベースには、前記資産管理データベース内に格納されている資産情報に基づいて資産管理機関が作成した資産レポートが格納され、
前記資産管理メニューには、前記資産レポートを閲覧するための資産レポート閲覧に係る選択情報が含まれ、
前記ユーザ端末は、
前記受信した資産管理メニューのうちから、前記資産レポート閲覧に係る選択情報を選択す
る手段と、
前記選択された資産レポート閲覧に係る選択情報を前記ＷＷＷサーバに送信する手段と、
を有し、前記ＷＷＷサーバは、
前記資産レポート閲覧に係る選択情報を前記ユーザ端末から受信する手段と、
前記資産レポート閲覧に係る選択情報を前記ユーザ端末から受信すると、前記資産管理公開情報に格納されている資産レポートを当該ユーザ端末に送信する手段と、
を有することを特徴とする請求項１または請求項２に記載の資産情報管理システム。
【請求項４】
前記ユーザ端末は、前記資産管理クライアントモジュールを受信すると、当該資産管理クライアントモジュールを用いて、入力された資産情報と前記ユーザ端末のユーザ固有のＩＤとを含む情報を前記ＷＷＷサーバに送信する手段を有し、
前記ＷＷＷサーバは、前記ユーザ端末から受信した資産情報とＩＤとを含む情報を前記資産管理サーバに送信する手段を有し、
前記資産管理サーバは、前記資産管理データベース内においてＩＤ毎に設けられた格納場所の内、前記受信したユーザ固有のＩＤに対応する格納場所に、前記受信した資産情報を格納する手段を有することを特徴とする請求項１〜３のいずれかに記載の資産情報管理システム。
【請求項５】
前記資産管理メニューには、資産情報を閲覧するための資産情報閲覧に係る選択情報が含まれ、
前記ユーザ端末は、
前記受信した資産管理メニューのうちから、前記資産情報閲覧に係る選択情報を選択する手段と、
前記選択された資産情報閲覧に係る選択情報と前記ユーザ端末のユーザ固有のＩＤとを含む情報を前記ＷＷＷサーバに送信する手段と、
を有し、前記ＷＷＷサーバは、
前記資産情報閲覧に係る選択情報と前記ユーザ端末のユーザ固有のＩＤとを含む情報を前記ユーザ端末から受信する手段と、
前記資産情報閲覧に係る選択情報を前記ユーザ端末から受信すると、前記資産管理サーバを呼び出し、前記受信したＩＤに該当する資産情報であって前記資産情報データベースのユーザ固有のＩＤ毎に設けられた格納場所の内、前記受信したユーザ固有のＩＤに対応する格納場所に格納されている資産情報の中から前記資産管理サーバが抽出した資産情報を当該ユーザ端末に送信する手段と、
を有することを特徴とする請求項４に記載の資産情報管理システム。
【請求項６】
前記資産管理公開情報データベースには、前記資産管理データベース内のＩＤ毎に設けられた格納場所に格納された資産情報を、前記資産管理機関がそれぞれ集計した資産レポートが格納され、
前記資産管理メニューには、前記資産レポートを閲覧するための資産レポート閲覧に係る選択情報が含まれ、
前記ユーザ端末は、
前記受信した資産管理メニューのうちから、前記資産レポート閲覧に係る選択情報を選択する手段と、
前記選択された資産レポート閲覧に係る選択情報と前記ユーザ端末のユーザ固有のＩＤとを含む情報を前記ＷＷＷサーバに送信する手段と、
を有し、前記ＷＷＷサーバは、
前記資産レポート閲覧に係る選択情報と前記ユーザ端末のユーザ固有のＩＤとを含む情報を前記ユーザ端末から受信する手段と、
前記資産レポート閲覧に係る選択情報を前記ユーザ端末から受信すると、前記資産管理公開情報データベースのユーザ固有のＩＤ毎に設けられた格納場所の内、前記受信したユーザ固有のＩＤに対応する格納場所に格納されている資産レポートの中から、前記受信したＩＤに該当する資産レポートを抽出し、抽出した資産レポートを当該ユーザ端末に送信する手段と、
を有することを特徴とする請求項４または５のいずれか１項に記載の資産情報管理システム。
【請求項７】
ユーザ端末と、
前記ユーザ端末に入力された資産情報を資産管理サーバへ送信する処理を実行する資産管理クライアントモジュールを内蔵し前記ユーザ端末から受信した資産情報を蓄積する資産管理データベースを管理する資産管理サーバと、
資産管理公開情報を通信ネットワーク上に公開するＷＷＷサーバと、前記ＷＷＷサーバと前記ユーザ端末とを相互に接続する通信ネットワークとからなる資産情報管理システムにおける資産情報管理方法であって、
前記ユーザ端末が、前記ＷＷＷサーバにより前記通信ネットワーク上に公開されている前記資産管理公開情報にアクセスするステップと、
前記ＷＷＷサーバが、前記ユーザ端末が前記資産管理公開情報にアクセスすると、
資産管理公開情報データベースに格納されている資産管理メニューを前記ユーザ端末に送信するステップと、
前記ユーザ端末が、前記資産管理サーバに資産情報を送信するための資産情報送信に係る選択情報を含む前記資産管理メニューを前記ＷＷＷサーバから受信するステップと、
前記ユーザ端末が、前記受信した資産管理メニューのうちから、前記資産情報送信に係る選択情報を選択するステップと、
前記ユーザ端末が、前記選択された選択情報を前記ＷＷＷサーバに送信するステップと、
前記ＷＷＷサーバが、前記ユーザ端末から前記選択情報を受信するステップと、
前記ＷＷＷサーバが、前記ユーザ端末から前記選択情報を受信すると、前記資産管理サーバを呼び出し、当該資産管理サーバに内蔵されている資産管理クライアントモジュールを当該ユーザ端末に送信するステップと、
前記ユーザ端末が、前記ＷＷＷサーバから前記資産管理クライアントモジュールを受信するステップと、
前記ユーザ端末が、前記資産管理クライアントモジュールを受信すると、当該資産管理クライアントモジュールを用いて、入力された資産情報を前記ＷＷＷサーバに送信するステップと、
前記ＷＷＷサーバが、前記ユーザ端末から受信した資産情報を前記資産管理サーバに送信するステップと、
前記資産管理サーバが、前記受信した資産情報を資産管理データベースに格納するステップと、
を有することを特徴とする資産情報管理方法。
【請求項８】
前記資産管理メニューには、資産情報を閲覧するための資産情報閲覧に係る選択情報が含まれ、
前記ユーザ端末が、前記受信した資産管理メニューのうちから、前記資産情報閲覧に係る選択情報を選択するステップと、
前記ユーザ端末が、前記選択された資産情報閲覧に係る選択情報を前記ＷＷＷサーバに送信するステップと、
前記ＷＷＷサーバが、前記ユーザ端末から前記資産情報閲覧に係る選択情報を受信するステップと、
前記ＷＷＷサーバが、前記資産情報閲覧に係る選択情報を前記ユーザ端末から受信すると、前記資産管理サーバを呼び出し、前記資産情報データベースに格納されている資産情報を当該ユーザ端末に送信するステップと、
を有することを特徴とする請求項７に記載の資産情報管理方法。
【請求項９】
前記資産管理公開情報データベースには、前記資産管理データベース内に格納されている資産情報に基づいて資産管理機関が作成した資産レポートが格納され、
前記資産管理メニューには、前記資産レポートを閲覧するための資産レポート閲覧に係る選択情報が含まれ、
前記ユーザ端末が、前記受信した資産管理メニューのうちから、前記資産レポート閲覧に係る選択情報を選択するステップと、
前記ユーザ端末が、前記選択された資産レポート閲覧に係る選択情報を前記ＷＷＷサーバに送信するステップと、
前記ＷＷＷサーバが、前記資産レポート閲覧に係る選択情報を前記ユーザ端末から受信するステップと、
前記ＷＷＷサーバが、前記資産レポート閲覧に係る選択情報を前記ユーザ端末から受信すると、前記資産管理公開情報に格納されている資産レポートを当該ユーザ端末に送信するステップと、
を有することを特徴とする請求項７または請求項８に記載の資産情報管理方法。
【発明の詳細な説明】
【０００１】
【発明の属する技術分野】
本発明は、資産管理システム及び資産管理サービス方法に関する。
【０００２】
【従来の技術】
従来の資産管理方法の一例を、図８を参照して説明する。図８は、従来の資産情報管理システムの構成概略を表すブロック図である。図８に示される従来の資産情報管理システムは、資産管理サーバ１０と、資産管理サーバに１０より管理される資産管理データベース２０と、ネットワーク２００を介して資産管理サーバ１０に接続されるユーザ端末５０と、ユーザ端末３０に予めインストールされた資産管理クライアントモジュール３０とから構成される。
【０００３】
ユーザ端末５０は、パーソナルコンピュータ等の情報処理装置であり、資産管理クライアントモジュール３０を実行し、ネットワーク２００を介して資産管理サーバ１０にアクセスして相互に情報授受を行うために、キーボード等の入力機能、通信機能、及び液晶表示装置等の出力機能を有する。資産管理サーバ１０は、ネットワーク２００を介してユーザ端末５０が送信する情報を受信する。ユーザ端末５０が資産情報を送信してきた場合にはその資産情報を受信して資産管理データベース２０に格納し、資産閲覧要求を行ってきた場合にはネットワーク２００を介してユーザ端末５０に資産情報を送信する。
【０００４】
次に、図８に示したシステムを用いてどのように資産情報の授受が行われるかを説明する。まずユーザが資産管理サーバ１０に対して資産情報送信を行おうとする場合について図９のフローチャートを用いて説明する。ユーザがユーザ端末５０にインストールされた資産管理クライアントモジュール３０を起動する（ステップＥ１）と、表示装置等に例えば図４に示すような資産管理メニューが示される（ステップＥ２）。ユーザが資産管理メニューから資産情報送信を選択する（ステップＥ３）と、資産管理クライアントモジュール３０はユーザ端末５０に入力された資産情報を、ネットワーク２００を介して資産管理サーバ１０に対して送信する（ステップＥ４）。このとき資産管理クライアントモジュール３０は、資産情報とともにユーザＩＤ等の情報を同時に送信し、これにより資産管理サーバ１０は当該ユーザを認証することができる。資産管理サーバ１０は、資産管理データベース２０内にユーザＩＤごとに設けられた格納場所に対して、受信した資産情報を格納する（ステップＥ５）。
【０００５】
次にユーザが資産管理サーバ１０に対して資産情報閲覧要求を行う場合について図１０を参照して説明する。ユーザがユーザ端末５０にインストールされた資産管理クライアントモジュール３０を起動する（ステップＦ１）と、表示装置等に例えば図４に示すような資産管理メニューが示される（ステップＦ２）。ユーザが資産管理メニューから資産情報送閲覧を選択し、ＩＤやパスワード等ユーザを認証するための情報を入力する（ステップＦ３）と、資産管理クライアントモジュール３０はそれら認証情報と資産情報閲覧要求とをネットワーク２００を介して資産管理サーバ１０に対して送信する（ステップＦ４）。資産管理サーバ１０は、受信した確認情報をもとに資産管理データベース２０からユーザ所属の資産情報を検索し、その資産情報をネットワーク２００を介してユーザ端末５０へと送信する（ステップＦ５）。
【０００６】
【発明が解決しようとする課題】
上述のような資産情報管理システムは、従来ユーザ（例えば個人、会社、各種団体等）が各々構築し、独自に管理運用を行っていた。従って、資産管理サーバ１０、資産管理データベース２０等ハードウエアの購入及び設置費用、資産管理モジュール３０等ソフトウエアの購入及びアップグレードの費用、システム構築費用等、多大な初期投資が必要でああった。またシステム運用開始までにかかる時間と労力が大きい点に問題があった。また、会社等においてこのような資産管理システムを運用する際には専門要員を確保する必要を生じて管理コストが高騰する例が多く、この点でも問題があった。
【０００７】
そこで本発明の課題は、資産情報管理において、システム運用まで及びシステム運用時に要するコストを低下して効率的に資産管理を行うことである。
【０００８】
【課題を解決するための手段】
上記課題を解決するための本発明の資産情報管理システムは、ユーザ端末と、前記ユーザ端末に入力された資産情報を資産管理サーバへ送信する処理を実行する資産管理クライアントモジュールを内蔵し前記ユーザ端末から受信した資産情報を蓄積する資産管理データベースを管理する資産管理サーバと、資産管理公開情報を通信ネットワーク上に公開するＷＷＷサーバと、前記ＷＷＷサーバと前記ユーザ端末とを相互に接続する通信ネットワークとからなる資産情報管理システムであって、前記ユーザ端末は、前記ＷＷＷサーバにより前記通信ネットワーク上に公開されている前記資産管理公開情報にアクセスする手段と、前記資産管理サーバに資産情報を送信するための資産情報送信に係る選択情報を含む資産メニューを前記ＷＷＷサーバから受信する手段と、前記受信した資産メニューのうちから、前記資産情報送信に係る選択情報を選択する手段と、前記選択された選択情報を前記ＷＷＷサーバに送信する手段と、前記ＷＷＷサーバから前記資産管理クライアントモジュールを受信する手段と、前記資産管理クライアントモジュールを受信すると、当該資産管理クライアントモジュールを用いて、入力された資産情報を前記ＷＷＷサーバに送信する手段とを有し、前記ＷＷＷサーバは、前記ユーザ端末が前記資産管理公開情報にアクセスすると、前記資産管理公開情報に格納されている前記資産管理メニューを前記ユーザ端末に送信する手段と、前記ユーザ端末から前記選択情報を受信する手段と、前記ユーザ端末から前記選択情報を受信すると、前記資産管理サーバを呼び出し、当該資産管理サーバに内蔵されている資産管理クライアントモジュールを当該ユーザ端末に送信する手段と、前記ユーザ端末から受信した資産情報を前記資産管理サーバに送信する手段と、を有し、前記資産管理サーバは、前記ＷＷＷサーバから受信した資産情報を資産管理データベースに格納する手段を有することを特徴とする。これにより、ユーザは資産情報管理において、システム構築費用を軽減できるとともに、ソフトウエアの購入及びアップグレードや、システム運用のコストをも大幅に軽減することができる。
【０００９】
また本発明の資産情報管理システムは、前記資産メニューには、資産情報を閲覧するための資産情報閲覧に係る選択情報が含まれ、前記ユーザ端末は、前記受信した資産メニューのうちから、前記資産情報閲覧に係る選択情報を選択する手段と、前記選択された資産情報閲覧に係る選択情報を前記ＷＷＷサーバに送信する手段とを有し、前記ＷＷＷサーバは、前記ユーザ端末から前記資産情報閲覧に係る選択情報を受信する手段と、前記資産情報閲覧に係る選択情報を前記ユーザ端末から受信すると、前記資産管理サーバを呼び出し、前記資産情報データベースに格納されている資産情報を当該ユーザ端末に送信する手段とを有することを特徴とする。これにより、ユーザは資産情報管理において、システム構築費用を軽減できるとともに、ソフトウエアの購入及びアップグレードや、システム運用のコストをも大幅に軽減することができる。
【００１０】
また本発明の資産情報管理システムは、前記資産管理公開情報には、前記資産管理データベース内に格納されている資産情報に基づいて資産管理機関が作成した資産レポートが格納され、前記資産メニューには、前記資産レポートを閲覧するための資産レポート閲覧に係る選択情報が含まれ、前記ユーザ端末は、前記受信した資産メニューのうちから、前記資産レポート閲覧に係る選択情報を選択する手段と、前記選択された資産レポート閲覧に係る選択情報を前記ＷＷＷサーバに送信する手段とを有し、前記ＷＷＷサーバは、前記資産レポート閲覧に係る選択情報を前記ユーザ端末から受信する手段と、前記資産レポート閲覧に係る選択情報を前記ユーザ端末から受信すると、前記資産管理公開情報に格納されている資産レポートを当該ユーザ端末に送信する手段とを有することを特徴とする。これにより、ユーザは資産情報管理において、システム構築費用を軽減できるとともに、ソフトウエアの購入及びアップグレードや、システム運用のコストをも大幅に軽減することができる。
【００１１】
また本発明の資産情報管理システムは、前記ユーザ端末と前記資産管理サーバとの間の資産情報授受において、資産管理機関が前記ユーザ端末のユーザに対して発行したユーザ固有のＩＤを用いて、当該ユーザの認証及び資産情報の管理を行うことを特徴とする。これにより、資産情報の管理が効率的に行われるとともに、情報の機密性が保持される。
【００１２】
また本発明の資産情報管理システムは、前記ユーザ端末は、前記資産管理クライアントモジュールを受信すると、当該資産管理クライアントモジュールを用いて、入力された資産情報と前記ユーザ端末のユーザ固有のＩＤとを含む情報を前記ＷＷＷサーバに送信する手段を有し、前記ＷＷＷサーバは、前記ユーザ端末から受信した資産情報とＩＤとを含む情報を前記資産管理サーバに送信する手段を有し、前記資産管理サーバは、前記資産管理データベース内においてＩＤ毎に設けられた格納場所に、前記受信した資産情報を格納する手段を有することを特徴とする。これにより、資産情報の管理が効率的に行われるとともに、情報の機密性が保持される。
【００１３】
また本発明の資産情報管理システムは、前記資産メニューには、資産情報を閲覧するための資産情報閲覧に係る選択情報が含まれ、前記ユーザ端末は、前記受信した資産メニューのうちから、前記資産情報閲覧に係る選択情報を選択する手段と、前記選択された資産情報閲覧に係る選択情報と前記ユーザ端末のユーザ固有のＩＤとを含む情報を前記ＷＷＷサーバに送信する手段とを有し、前記ＷＷＷサーバは、前記資産情報閲覧に係る選択情報と前記ユーザ端末のユーザ固有のＩＤとを含む情報を前記ユーザ端末から受信する手段と、前記資産情報閲覧に係る選択情報を前記ユーザ端末から受信すると、前記資産管理サーバを呼び出し、前記受信したＩＤに該当する資産情報であって前記資産情報データベースに格納されている資産情報の中から前記資産管理サーバが抽出した資産情報を当該ユーザ端末に送信する手段とを有することを特徴とする。これにより、資産情報の管理が効率的に行われるとともに、情報の機密性が保持される。
【００１４】
また本発明の資産情報管理システムは、前記資産管理公開情報には、前記資産管理データベース内のＩＤ毎に設けられた格納場所に格納された資産情報を、前記資産管理機関がそれぞれ集計した資産レポートが格納され、前記資産メニューには、前記資産レポートを閲覧するための資産レポート閲覧に係る選択情報が含まれ、前記ユーザ端末は、前記受信した資産メニューのうちから、前記資産レポート閲覧に係る選択情報を選択する手段と、前記選択された資産レポート閲覧に係る選択情報と前記ユーザ端末のユーザ固有のＩＤとを含む情報を前記ＷＷＷサーバに送信する手段とを有し、前記ＷＷＷサーバは、前記資産レポート閲覧に係る選択情報と前記ユーザ端末のユーザ固有のＩＤとを含む情報を前記ユーザ端末から受信する手段と、前記資産レポート閲覧に係る選択情報を前記ユーザ端末から受信すると、前記資産管理公開情報に格納されている資産レポートの中から、前記受信したＩＤに該当する資産レポートを抽出し、抽出した資産レポートを当該ユーザ端末に送信する手段とを有することを特徴とする。これにより、資産情報の管理が効率的に行われるとともに、情報の機密性が保持される。
【００１５】
また本発明の資産情報管理方法は、ユーザ端末と、前記ユーザ端末に入力された資産情報を資産管理サーバへ送信する処理を実行する資産管理クライアントモジュールを内蔵し前記ユーザ端末から受信した資産情報を蓄積する資産管理データベースを管理する資産管理サーバと、資産管理公開情報を通信ネットワーク上に公開するＷＷＷサーバと、前記ＷＷＷサーバと前記ユーザ端末とを相互に接続する通信ネットワークとからなる資産情報管理システムにおける資産情報管理方法であって、前記ユーザ端末が、前記ＷＷＷサーバにより前記通信ネットワーク上に公開されている前記資産管理公開情報にアクセスするステップと、前記ＷＷＷサーバが、前記ユーザ端末が前記資産管理公開情報にアクセスすると、前記資産管理公開情報に格納されている資産管理メニューを前記ユーザ端末に送信するステップと、前記ユーザ端末が、前記資産管理サーバに資産情報を送信するための資産情報送信に係る選択情報を含む前記資産メニューを前記ＷＷＷサーバから受信するステップと、前記ユーザ端末が、前記受信した資産メニューのうちから、前記資産情報送信に係る選択情報を選択するステップと、前記ユーザ端末が、前記選択された選択情報を前記ＷＷＷサーバに送信するステップと、前記ＷＷＷサーバが、前記ユーザ端末から前記選択情報を受信するステップと、前記ＷＷＷサーバが、前記ユーザ端末から前記選択情報を受信すると、前記資産管理サーバを呼び出し、当該資産管理サーバに内蔵されている資産管理クライアントモジュールを当該ユーザ端末に送信するステップと、前記ユーザ端末が、前記ＷＷＷサーバから前記資産管理クライアントモジュールを受信するステップと、前記ユーザ端末が、前記資産管理クライアントモジュールを受信すると、当該資産管理クライアントモジュールを用いて、入力された資産情報を前記ＷＷＷサーバに送信するステップと、前記ＷＷＷサーバが、前記ユーザ端末から受信した資産情報を前記資産管理サーバに送信するステップと、前記資産管理サーバが、前記受信した資産情報を資産管理データベースに格納するステップとを有することを特徴とする。これにより、ユーザは資産情報管理において、システム構築費用を軽減できるとともに、ソフトウエアの購入及びアップグレードや、システム運用のコストをも大幅に軽減することができる。
【００１６】
また本発明の資産情報管理方法は、前記資産メニューには、資産情報を閲覧するための資産情報閲覧に係る選択情報が含まれ、前記ユーザ端末が、前記受信した資産メニューのうちから、前記資産情報閲覧に係る選択情報を選択するステップと、前記ユーザ端末が、前記選択された資産情報閲覧に係る選択情報を前記ＷＷＷサーバに送信するステップと、前記ＷＷＷサーバが、前記ユーザ端末から前記資産情報閲覧に係る選択情報を受信するステップと、前記ＷＷＷサーバが、前記資産情報閲覧に係る選択情報を前記ユーザ端末から受信すると、前記資産管理サーバを呼び出し、前記資産情報データベースに格納されている資産情報を当該ユーザ端末に送信するステップとを有することを特徴とする。これにより、ユーザは資産情報管理において、システム構築費用を軽減できるとともに、ソフトウエアの購入及びアップグレードや、システム運用のコストをも大幅に軽減することができる。
【００１７】
また本発明の資産情報管理方法は、前記資産管理公開情報には、前記資産管理データベース内に格納されている資産情報に基づいて資産管理機関が作成した資産レポートが格納され、前記資産メニューには、前記資産レポートを閲覧するための資産レポート閲覧に係る選択情報が含まれ、前記ユーザ端末が、前記受信した資産メニューのうちから、前記資産レポート閲覧に係る選択情報を選択するステップと、前記ユーザ端末が、前記選択された資産レポート閲覧に係る選択情報を前記ＷＷＷサーバに送信するステップと、前記ＷＷＷサーバが、前記資産レポート閲覧に係る選択情報を前記ユーザ端末から受信するステップと、前記ＷＷＷサーバが、前記資産レポート閲覧に係る選択情報を前記ユーザ端末から受信すると、前記資産管理公開情報に格納されている資産レポートを当該ユーザ端末に送信するステップとを有することを特徴とする。これにより、ユーザは資産情報管理において、システム構築費用を軽減できるとともに、ソフトウエアの購入及びアップグレードや、システム運用のコストをも大幅に軽減することができる。
【００１８】
【発明の実施形態】
本発明の一実施形態を以下に示す。第１図は本発明における資産情報管理システム一例の概略を示すブロック図であり、資産管理データベース２０を管理しかる資産クライアントモジュール３０を内蔵した資産管理サーバ１０、資産管理サーバ１０に回線接続されたＷＷＷサーバ４０、ユーザ端末５０、及びＷＷＷサーバ４０とユーザ端末５０とを相互に接続する通信ネットワーク１００から構成される。
【００１９】
ＷＷＷサーバ４０は、インターネットに代表される通信ネットワーク１００上において、ＨＰ等の資産管理公開情報６０を開設している。またユーザ端末５０はパーソナルコンピュータ等の情報処理装置であり、資産管理公開情報６０にアクセスする機能、資産情報を表示する表示機能を備える。
【００２０】
次に、図１に示した資産管理システムを用いた具体的な資産管理方法について図２及び図３のフローチャートを参照して説明する。まず、ユーザがユーザ端末５０により資産情報を送信しようとする場合について図２のフローチャートを用いて説明する。資産管理機関とユーザとは予め資産情報管理についての契約を締結している。ユーザはユーザ端末５０上のブラウザソフトウエアを用いてＷＷＷサーバ４０が通信ネットワーク１００上に開設する資産管理公開情報６０にアクセスする（ステップＡ１）。ＷＷＷサーバ４０は、資産管理公開情報６０に格納されている資産管理メニューをユーザ端末５０に送信する（ステップＡ２）。このとき送信される資産管理メニューの一例を図４に示す。資産管理メニューを受信したユーザ端末５０は、資産管理メニュー内の資産情報送信を選択し、実行ボタンを押してＷＷＷサーバ４０に送信する（ステップＡ３）。資産情報送信選択の情報を受信したＷＷＷサーバ４０は、資産管理サーバ１０を呼び出し（ステップＡ４）、資産管理サーバ１０に内蔵されている資産管理クライアントモジュール３０をユーザ端末５０に対して送信する（ステップＡ５）。ユーザ端末５０上のブラウザソフトウエアは、受信した資産管理クライアントモジュール３０を実行して、ユーザ端末５０に入力された資産情報をＷＷＷサーバ４０へと送信する（ステップＡ６）。ＷＷＷサーバ４０は、受信した資産情報を資産管理サーバ１０へと送信し（ステップＡ７）、資産管理サーバ１０は受信した資産情報を資産管理データベース２０に格納する（ステップＡ８）。
【００２１】
なお、資産管理機関とユーザとの契約締結時において、資産管理機関がユーザに対してユーザ固有のＩＤを発行し、このＩＤによりユーザの認証及び資産情報の管理を行うことが望ましい。具体的には、例えばステップＡ６においてユーザが資産情報とともにユーザ固有のＩＤを送信し、ＷＷＷサーバ４０はこのＩＤ情報によりユーザを認証するとともに、同時に受信した資産情報を、資産管理データベース２０内部においてＩＤごとに設けられた格納場所に格納する。また、上記ＩＤの他にさらにユーザ固有のパスワードを設け、ＩＤとパスワードとによりユーザの認証を行うことが、保安上好ましい。
【００２２】
次に、ユーザが資産情報の閲覧を希望した場合について図３のフローチャートを用いて説明する。ユーザはユーザ端末５０上のブラウザソフトウエアを用いてＷＷＷサーバ４０が通信ネットワーク１００上に開設する資産管理公開情報６０にアクセスする（ステップＢ１）。ＷＷＷサーバ４０は、資産管理公開情報６０に格納されている資産管理メニューをユーザ端末５０に送信する（ステップＢ２）。資産管理メニューを受信したユーザ端末５０は、資産管理メニュー内の資産情報閲覧を選択し、実行ボタンを押してＷＷＷサーバ４０に送信する（ステップＢ３）。資産情報閲覧選択の情報を受信したＷＷＷサーバ４０は、資産管理サーバ１０を呼び出し（ステップＢ４）、資産管理サーバ１０は資産管理データベース２０に格納されている資産管理情報を抽出してユーザ端末５０に対して送信する（ステップＢ５）。
【００２３】
このとき、上述と同様にユーザ固有のＩＤを設定しておき、このＩＤによりステップＢ５における情報抽出を行うことができる。また、資産情報閲覧に関しては、上述の資産情報送信よりも情報の機密保持が重要な意味を持つことが自明である。従って、ユーザ固有のパスワードを設定し、ＩＤとパスワードとによるユーザの認証を行うことの重要性が大きい。より具体的には、ステップＢ３において、ユーザによるＩＤ及びパスワード等の入力を必須とすることが重要である。
【００２４】
次に本発明第二の実施形態について説明する。なお第一の実施形態と重複する部分については説明を省略し、異なる部分についてのみ説明を行う。図５及び図６を参照すると、本実施形態においては、資産管理機関が、資産管理データベース２０に格納された資産情報を基に、資産情報集計手段７０を用いて必要に応じて資産レポートの作成を行う（ステップＣ１）。資産レポートの内容としては、例えば資産の推移、運用実績等が挙げられ、資産管理機関やユーザの意思により適宜決定される。作成された資産レポートは、資産管理公開情報６０に格納される（ステップＣ２）。このとき、上記第一の実施形態と同様に、ＩＤによる情報管理を行うこと、具体的には資産公開情報６０内にＩＤごとに設けられた格納場所に資産レポートを格納することができる。
【００２５】
さて、このように資産レポートを作成する場合、ユーザは、上述のごとく資産管理データベース２０に格納された資産情報の閲覧と、資産管理公開情報６０に格納された資産レポートの閲覧とを選択することができる。この選択について図７のフローチャートを参照して説明する。ユーザは資産管理メニューから資産情報閲覧か資産レポート閲覧かを選択する（ステップＤ３）。ＷＷＷサーバ４０はユーザの選択要求が資産レポート閲覧か否かを判断し（ステップＤ４）、「ＹＥＳ」であれば資産管理公開情報６０に格納されている資産レポートの中から該当する資産レポートを抽出し、ユーザ端末５０へと送信する（ステップＤ５）。「ＮＯ」であれば、資産情報データベース２０に格納されている資産情報の中から該当する資産情報を抽出し、ユーザ端末５０へと送信する（ステップＤ６）。
【００２６】
このときも、ユーザ固有のパスワードを設定し、ＩＤとパスワードとによるユーザの認証を行うことの重要性が大きい。より具体的には、ステップＤ３において、ユーザによるＩＤ及びパスワード等の入力を必須とすることが重要である。
【００２７】
なお、上記資産管理クライアントモジュールは、例えばMicrosoft ActiveX技術により、又はJavaモジュールにより開発される。
【００２８】
また、上記各実施形態は、これらを実行するためのプログラムを記録した記録媒体により実行される。
【００２９】
【発明の効果】
以上のように本発明によれば、資産情報管理において、システム運用まで及びシステム運用時に要するコストを低下して効率的に資産管理を行うことができる。
【図面の簡単な説明】
【図１】  本発明の資産情報管理システム一例における構成概略を示すブロック図である。
【図２】  本発明の資産情報管理方法一例を説明するフローチャートである。
【図３】  本発明の資産情報管理方法一例を説明するフローチャートである。
【図４】  本発明の資産情報管理方法において用いられる資産管理メニュー一例である。
【図５】  本発明の資産情報管理システム他の一例における構成概略を示すブロック図である。
【図６】  本発明の資産情報管理方法一例を説明するフローチャートである。
【図７】  本発明の資産情報管理方法一例を説明するフローチャートである。
【図８】  従来の資産情報管理システム一例における構成概略を示すブロック図である。
【図９】  従来の資産情報管理方法一例を説明するフローチャートである。
【図１０】  従来の資産情報管理方法一例を説明するフローチャートである。
【符号の説明】
１０  資産管理サーバ
２０  資産情報データベース
３０  資産管理クライアントモジュール
４０  ＷＷＷサーバ
５０  ユーザ端末
６０  資産管理公開情報
７０  資産情報集計手段
１００  通信ネットワーク
２００  ネットワーク
【図１】
0004362214.tif 000002
【図２】
0004362214.tif 000003
【図３】
0004362214.tif 000004
【図４】
0004362214.tif 000005
【図５】
0004362214.tif 000006
【図６】
0004362214.tif 000007
【図７】
0004362214.tif 000008
【図８】
0004362214.tif 000009
【図９】
0004362214.tif 000010
【図１０】
0004362214.tif 000011